(57)【要約】      （修正有）【課題】安価に製作でき簡易な構造により所望形状の形成を可能にして使用者の背中にフィットする立体的な背当て部材を提供する。【解決手段】開口部１１とスリット１２とを形成する板状体１０において、スリットを挟んで両側に位置する板状体１０ａ、１０ｂを内側又は外側方向に重ね合せて形成される重ね合わせ部１３と、重ね合わせて形成される任意の板状体形状を確定し両側の板状体を内側又は外側方向にスライドさせるための軸として機能する支点２１と、スライドさせて形成される任意の板状体全体の形状を確定し固定するための形状固定部（仮止め部２２、縫製部２３又は接着部２４、ベルト２５）と、を備え、板状体上方が平面視で内側方向に湾曲し、板状体全体が左側面視でＳ字形状となっている。【選択図】図１
0003192437.tif 000002
【実用新案登録請求の範囲】
【請求項１】
中央部付近に開口された開口部と、開口部の底部から板状体底辺に至るスリットとを形成する板状体において、
スリットを挟んで両側に位置する板状体を内側又は外側方向に重ね合せて形成される重ね合わせ部と、
重ね合わせて形成される任意の板状体形状を確定し、前記両側の板状体を内側又は外側方向にスライドさせるための軸として機能する支点と、
スライドさせて形成される任意の板状体全体の形状を確定し固定するための形状固定部と、を備え、板状体上方が平面視で内側方向に湾曲してなり、板状体全体が左側面視でＳ字形状である、ことを特徴とする背当て部材。
【請求項２】
前記開口部が、縦長楕円形状、縦長長方形状、縦長菱形状、縦長の二等辺三角形状のいずれかであることを特徴とする請求項１に記載の背当て部材。
【請求項３】
前記重ね合わせ部の大小により、板状体上方における水平方向に内側への湾曲度並びに板状体全体における垂直方向に内側への湾曲度が調節され、そして重ね合わせ部の前記支点を軸とするスライド幅により、板状体下方における垂直方向に外側への湾曲度が調節される、ことを特徴とする請求項１又は２のいずれかに記載の背当て部材。
【請求項４】
前記形状固定部が、重ね合わせ部の形状並びに支点を軸にして形成された任意の形状を確定し固定するための仮の位置決めとして機能し、当該重ね合わせ部の適宜部位を接着又は縫製により一定形状に固定することを特徴とする請求項１〜３のいずれかに記載の背当て部材。
【請求項５】
前記形状固定部が、一定間隔に突起部を形成する一方のベルトと当該突起部を嵌合する開口部を形成する他方のベルトとにより構成され、両ベルトの突起部と開口部の係合により一定形状に固定することを特徴とする請求項１〜４のいずれかに記載の背当て部材。
【請求項６】
前記形状固定部を取り外し可能にし、かつ支点を回動自在に構成して、板状体の形状を任意に変更可能としたことを特徴とする請求項１〜３、５のいずれかに記載の背当て部材。
【請求項７】
前記板状体が柔軟性と強度を有するポリエチレン又はポリアセタールからなるプラスチック製であることを特徴とする請求項１〜６のいずれかに記載の背当て部材。
【請求項８】
請求項１〜７のいずれかに記載の背当て部材が、バックパック、リュックサック等の背負い式バッグの背当て部材、椅子の背当て部材、乗り物用座席シートの背当て部材、脊椎の矯正具のいずれかであることを特徴とする背当て部材。
【考案の詳細な説明】
【技術分野】
【０００１】
本考案は、リュックサック、椅子の背もたれ、乗り物の座席シート等の背当て部材に関し、特に、低コストで製作でき簡易な構造により所望形状の形成を可能にして使用者の背中にフィットする立体的な背当て部材に関する。
【０００２】
本考案は、使用者の背中のカーブにフィットし、背中にかかる負荷を軽減すると共に、ランバーサポート効果及び脊椎の形状矯正の効果も期待できる立体的な背当て部材に関するものである。人間の脊椎は、頭部を支えるため生理的なＳ字状カーブを描いており、この生理的カーブは重力を分散するサスペンションの役割を果たしている。したがって、背当て部材は、人間の背中の形状に合わせて、縦方向に緩やかなＳ字状カーブ、水平方向に湾曲した形状を有するものとすることが望ましい。特に、荷物を運ぶバックパックやリュックサック等の背負い式バッグにおいては、歩行時の背中の荷物の振動及び振幅が背中への衝撃となるため、荷物の振動及び振幅を減少させるために背中と密着する形状の背当て部材が望まれる。
【背景技術】
【０００３】
従来、バックパックやリュックサック等の背負い式バッグに内蔵される立体的な背当て部材には、プラスチック等の平面パネルにアルミ製のフレームを内蔵又は外付けして、背中のカーブに合わせて立体的に形成したもの等がある。しかし、アルミ軸のフレームは、中の荷物の形状や外的衝撃によりゆがみやすく、また、プラスチックを覆う表地に皺が形成され見栄えも劣るという欠点がある。
【０００４】
特許文献１は、背中にぴったりフィットするリュックサックを提供するため、バックパネルと、アルミニウム又はアルミニウム合金にて作られる縦ステーおよび横ステーとからなるバックパネルフレームとからなる背当て部を提案している。しかし、アルミニウム又はアルミニウム合金は荷物の形状や外的衝撃によりゆがむ可能性があり、また、バックパネルの型紙は、非定型的な形の２枚または３枚の型紙を必要とするため簡易性に欠ける。
【０００５】
また、平面の下地ボードに、複数の凸部を有した表皮材と、表皮材の凸部裏面側凹部内に設けたクッション機能を有した弾性体を設け、使用者の背中との圧着により、使用者の背中の形状に合わせて変形可能にした背当て部材、例えばランドセル等が一般に知られている。
【０００６】
特許文献２は、弾性体のクッション機能を高めるため、各弾性体に設けた通気凹部を互いに連結してポンプ作用を具備させ、該弾性体自体のクッション機能および背中からの圧力によって作用する弾性体のポンプ機能により、背当て部材の表面形状が使用者の背中面に密着するように変形させて、使用者の背中を均一に包み込むようにする背当て部材を提案している。しかし、表皮材と弾性体の型紙が複雑な形をしており、成形に熱プレスを要することから製造が複雑となり製造コストの面からも、簡易型の背負い式バッグ等においては採用しがたいものとなっている。
【先行技術文献】
【特許文献】
【０００７】
【特許文献１】特開平８−３３６４２１号公報
【特許文献２】特許第５２９２０２２号公報
【考案の概要】
【考案が解決しようとする課題】
【０００８】
本考案は、安価に製作でき簡易な構造により所望形状の形成を可能にして使用者の背中にフィットする立体的な背当て部材を提供することを課題とする。
【課題を解決するための手段】
【０００９】
請求項１に記載の考案は、中央部付近に開口された開口部１１と、開口部の底部から板状体底辺に至るスリット１２とを形成する板状体１０において、スリットを挟んで両側に位置する板状体１０ａ、１０ｂを内側又は外側方向に重ね合せて形成される重ね合わせ部１３と、重ね合わせて形成される任意の板状体形状を確定し、前記両側の板状体１０ａ、１０ｂを内側又は外側方向にスライドさせるための軸として機能する支点２１と、スライドさせて形成される任意の板状体全体の形状を確定し固定するための形状固定部２２、２３、２４、２５と、を備え、板状体上方が平面視で内側方向に湾曲してなり、板状体全体が左側面視でＳ字形状をなす背当て部材であることを特徴とする。
【００１０】
請求項２に記載の考案は、前記開口部１１が、縦長楕円形状、縦長長方形状、縦長菱形状、縦長の二等辺三角形状から選ばれるいずれかであることを特徴とし、請求項３に記載の考案は、重ね合わせ部１３の大小によって板状体上方における水平方向に内側への湾曲度並びに板状体全体における垂直方向に内側への湾曲度が調節され、そして重ね合わせ部１３の支点２１を軸とするスライド幅によって板状体下方における垂直方向に外側への湾曲度が調節されることを特徴とする。
【００１１】
請求項４に記載の考案は、請求項１〜３のいずれかに記載の背当て部材の形状固定部が、重ね合わせ部１３の形状並びに支点２１を軸にして形成された任意の形状を確定し固定するための仮の位置決めとして機能し、当該重ね合わせ部の適宜部位を接着又は縫製により一定形状に固定することを特徴とする。
【００１２】
請求項５に記載の考案は、請求項１〜４のいずれかに記載の背当て部材の形状固定部が、一定間隔に突起部を形成する一方のベルトと当該突起部を嵌合する開口部を形成する他方のベルトとにより構成され、両ベルトの突起部と開口部の係合により一定形状に固定することを特徴とし、請求項６に記載の考案は、請求項１〜３、５のいずれかに記載の背当て部材の形状固定部を取り外し可能にし、かつ支点２１を回動自在に構成して、板状体の形状を任意に変更可能としたことを特徴とする。
【００１３】
請求項７に記載の考案は、請求項１〜６のいずれかに記載の背当て部材の板状体が柔軟性と強度を有するポリエチレン又はポリアセタールからなるプラスチック製であることを特徴とする。板状体の素材は、強度と柔軟性を兼ね備え、かつ軽量で歪みにくい素材が望ましい。
請求項８に記載の考案は、請求項１〜７のいずれかに記載の背当て部材が、バックパック、リュックサック等の背負い式バッグの背当て部材、椅子の背当て部材、乗り物用座席シートの背当て部材、脊椎の矯正具から選ばれるいずれかの背当て部材であることを特徴とする。
【考案の効果】
【００１４】
本考案は、開口部とスリットを形成する板状体において、スリットを挟んで両側に位置する板状体を重ね合せて形成される重ね合わせ部と、重ね合わせの際に両側の板状体を内側又は外側方向にスライドさせるための軸として機能する支点と、任意の板状体全体の形状を確定し固定するための形状固定部と、を備えた簡易な構成となっている。
【００１５】
このような構成において、開口部の底部から板状体の底辺に至るスリット（切れ目）の両側に位置する板状体を重ね合わせて形成される板状体の任意の形状を確定した上で、両側の板状体を内側又は外側方向にスライドさせるための軸として機能する支点を設定し、支点を軸にして両側の板状体を内側又は外側方向にスライドさせて形成される板状体全体の任意の形状を確定し固定部により固定する。これにより板状体上方が水平方向に（平面視で）内側方向に湾曲してなり、板状体全体が垂直方向に（左側面視で）Ｓ字形状となる背当て部材が得られる。
【００１６】
このような背当て部材によれば、背当て部が使用者の背中の生理的カーブにフィットし、背中にかかる負荷を軽減すると共に、ランバーサポート効果及び脊椎の形状矯正の効果も期待できる。特に、荷物を運ぶバックパックやリュックサック等の背負い式バッグにおいては、歩行時の背中の荷物の振動及び振幅を減少させることができ背中への衝撃を軽減することができる。
【００１７】
本考案においては、重ね合わせ部の大小（幅の広狭）、言い換えれば重ね合わせ部が広くなるように或いは狭くなるように両側の板状体を重ね合せ調整することにより、板状体上方の水平方向への湾曲度合並びに側面視における垂直方向（縦方向）への湾曲度合が調節される。また、支点を軸とするスライド幅により、板状体下方に形成される上部とは逆側への垂直方向の外側への湾曲度合が調節される。このように、所定構造の一枚の板状体を重ね合せ、スライドするだけでＳ字形状のカーブの大きさを調整できる。
【００１８】
本考案では、形状固定部として突起部を開口部に嵌合して係合することにより幅を調整可能なベルトを使用することにより、使用者による背当て部材の形状の調製を可能とする。また、形状固定部を例えば、貫通自在のピン等のように取り外し可能にし、かつ支点を回動自在に構成して、板状体全体の形状を任意に変更可能とすることもできる。これにより使用者の体型や好みに合わせて容易に形状変更できるという利点もある。
【図面の簡単な説明】
【００１９】
【図１】本考案に係る背当て部材の構成例を示す正面図である。
【図２】本考案に係る背当て部材の側面形状（Ａ）および平面形状（Ｂ）を説明する図である。
【図３】本考案に係る背当て部材の開口部の他の構成例を示す図である。
【図４】本考案に係る背当て部材の湾曲度調節を説明するための図である。
【図５】本考案に係る背当て部材を内蔵した背負い式バッグの使用例を示す図である。
【考案を実施するための形態】
【００２０】
以下、添付図を参照しつつ本考案に係る背当て部材の実施の形態について詳細に説明する。図１は本考案に係る背当て部材（以下、「本背当て部材」という。）の構成例を示す正面図である。本背当て部材は、図１に示すように、板状体１０は開口部１１、スリット１２、重ね合わせ部１３、支点２１、形状固定部２２〜２５を有する簡易な構造である。板状体には中央部付近に開口部１１が形成され、開口部の底部から板状体底辺に至る区間にスリット（切れ目）１２が形成されている。重ね合わせ部１３は、スリットを挟んで両側に位置する板状体１０ａ、１０ｂを内側又は外側方向にスライドさせて重ね合せ部として形成される部位である。両側の板状体のスライドによって形成される重ね合わせ部の形状の大小により板状体を所望の形状とすることができる。
【００２１】
支点２１は、両側の板状体１０ａ、１０ｂを内側又は外側方向にスライドさせるための軸としての機能並びに両側の板状体のスライドにより形成された所望形状を確定する機能を有する。形状固定部は、両側の板状体のスライドにより確定された形状並びに支点により確定された形状（板状体全体の形状）を確定して固定するために機能するものである。本背当て部材である板状体の形状は図２（Ｂ）に示すように平面視で内側方向にわずかに湾曲しており、板状体全体の形状は同図（Ａ）に示すように左側面視でＳ字形状をなしている。
【００２２】
形状固定部としては、図１の重ね合わせ部付近に示しているように、重ね合わせ部の適宜部位、例えば重畳部の周囲の端部付近における接着あるいは縫製（２３、２４）が挙げられる。これにより板状体全体の形状を固定することができる。なお、この場合、形状固定部を、重ね合わせ部の形状並びに支点２１を軸にして形成された任意の形状を確定し固定するための仮の位置決め２２としておき、位置決めして重ね合わせ部の適宜部位を接着あるいは縫製すると都合がよい。接着又は縫製の完了に伴い仮の位置決め２２は取り外される。また、仮の位置決めを取り外すことなく、接着、縫製と一緒に固定部材として残してもよい。
【００２３】
また、形状固定部として、一定間隔に突起部を形成するベルトと当該突起部を嵌合する開口部を形成する他方のベルトからなる幅調整可能なベルト２５とすることができる。両ベルトの突起部と開口部の係合により一定形状に固定し、突起部と開口部の係合を解除変更することによって、Ｓ字形状の下側湾曲度（カーブ）を使用者の腰のカーブに合わせて任意に調節することが可能となる。形状固定部としてマジックテープ（登録商標）を利用することができる。さらに、支点２１を回動自在に構成すると共に形状固定部を取り外し可能にして板状体全体の形状を任意に変更可能とすることによって、Ｓ字状カーブの大きさを使用者の体型や好みに合わせて任意に調節することができる。
【００２４】
本背当て部材に係る板状体の中央部付近に開口される開口部１１は、縦長楕円形状、縦長長方形状、縦長菱形状、縦長の二等辺三角形状のいずれかに形成することができる。開口部はいずれの形状であっても本考案の目的を達成することができる。図１、図４では縦長楕円形状の開口部を示しているが、開口部の形状はこれには限定されない。図３に示す他の構成例のように、開口部を縦長長方形状（Ａ）、縦長菱形状（Ｂ）、縦長の二等辺三角形状（Ｃ）等にすることも可能である。なお、図３（Ｂ）に示す開口部が菱形形状の場合、菱形の下側頂点がスリットの開始点と重なるために重ね合わせ部がより大きくなる。そこで重ね合わせ部全体を縫製することによって本背当て部材を見栄えの良い綺麗な形状に仕上げることができる。また本考案においては、開口部の形状は縦長楕円形状、縦長長方形状、縦長菱形状、縦長の二等辺三角形状に限定されず、様々な任意の形状とすることができる。
【００２５】
次に、図４を参照して本考案に係る背当て部材の湾曲度合（カーブ度合）の調節について説明する。なお、図４において、左側図面は正面図、中央部の図面は側面図、右側図面は斜視図でそれぞれ表している。図４（Ａ）に示すように開口部底部から底面に至る部位にスリット（切れ目）１２を入れた板状体が作成される。図４（Ａ）、（Ｂ）に示すように、スリットを挟んで両側に位置する板状体１０ａ、１０ｂを内側又は外側方向にスライドさせて重ね合わせ部１３を形成する。重ね合わせ部の形成に際して、両側の板状体を大きくスライドさせて重ね合わせ部の幅が大きくなると、板状体上方部の平面形状（図２（Ｂ）参照）の内側に向けた湾曲度合が大きくなり、板状体全体の側面形状（図４（Ｂ）の中央図参照）の内側に向けた湾曲度合が大きくなる。一方、重ね合わせ部の幅が小さくなるとそれぞれの湾曲度合が小さくなる。
【００２６】
そして、適宜な湾曲度となる板状体の所望形状が得られた時点において、支点２１の位置を決定し支点を回動自在に配置して当該所望形状を確定し固定する。次に、図４（Ｃ）に示すように、支点２１を軸として、支点の下部における両側の板状体を内側又は外側方向にスライドさせることによって、板状体下方部が、板状体上部側とは逆向きのカーブを呈する側面形状の外側に向けた湾曲度合が調整され、当該部位における所望形状が得られる。このような機能、動作により背中にフィットする所望のＳ字形状が得られた後、本背当て部材の形状を確定し固定するための形状固定部を設ける。上述したような湾曲度調節により、板状体上方が平面視で内側方向に緩やかに湾曲し、板状体全体が左側面視でＳ字形状が形成されて当該形状が保持され、人間の身体の形状に沿った背当て部材となる。なお、特に一般的な体型に相応した背当て部材は金型等を利用して大量製造することができる。
【００２７】
本背当て部材に使用する板状体の素材は特に限定されるものではないが、ポリエチレン、ポリアセタール等のプラスチック製とすることができ、板状体の素材としては強度と柔軟性を兼ね備えかつ軽量で歪みにくい素材が好ましい。また、本背当て部材が人間の背中に直接接触するのを防止するために、背負い式バッグや自動車シート等に用いる場合は、パッドや生地で背当て部材を覆うと都合がよい。この場合、背当て部材を覆う表面生地の製作にあたって背当て部材と同様の型紙を使用することによって、背当て部材に形成されるカーブを損なうことなく、皺のない美しい表面に仕上げることができる。表面生地の素材としては背負い式バッグの場合ナイロンやポリエステルが好適であるが、その他の素材を使用できることは勿論である。
【００２８】
図５は本背当て部材を背負い式バッグに内蔵して使用する例を示している。ここでは、本背当て部材がリュックサック、バッグパック等の背負い式バッグの背面パネルとして使用されているが、使用する対象はこれに限定されるものではない。本背当て部材は、椅子の背当て部材、乗り物用座席シートの背当て部材、脊椎の矯正具等の人間の背中に接して使われる各種の部材として使用することができる。
【産業上の利用可能性】
【００２９】
本考案に係る背当て部材は、簡易な構成により、垂直方向にＳ字形状のカーブ並びに水平方向に内側に向けた緩やかな湾曲形状を形成することができるので、使用者の背中のカーブにフィットして背中にかかる負荷を軽減できると共に、ランバーサポート効果及び脊椎の形状矯正の効果も期待できる。
【００３０】
本考案に係る背当て部材は、背負い式バッグ、椅子、乗り物用座席シートのみならず脊椎の矯正具等、人間の背中に面して使用される各種の製品に対して適用することができる。特に、荷物を運ぶバックパックやリュックサック等の背負い式バッグにおいては、歩行時の背中の荷物の振動及び振幅が背中への衝撃となり、背当て部材が背中に密着することによって荷物の振動及び振幅を減少させることができる。
【符号の説明】
【００３１】
１０      板状体
１０ａ、１０ｂ    スリット両側の板状体
１１      開口部
１２      スリット
１３      重ね合わせ部
２１      支点
２２      仮止め部（形状固定部）
２３      縫製部（形状固定部）
２４      接着部（形状固定部）
２５      ベルト（形状固定部）
【図１】
0003192437.tif 000003
【図２】
0003192437.tif 000004
【図３】
0003192437.tif 000005
【図４】
0003192437.tif 000006
【図５】
0003192437.tif 000007